(57)【要約】【課題】収集した計測データに欠落がある場合に一度に再収集処理を行うことなく、オペレータに負担をかけることなく、欠落期間の計測データを再収集するようにしたデータ収集システムを得る。【解決手段】表示端末１００からの計測データの欠落期間の検索要求に基づき、サーバ２００は、データ格納部２４０に格納している計測データについて、欠落の有無及び欠落期間を検索し、検索結果である欠落期間の一覧を表示端末１００に送信することにより、表示端末１００では、欠落期間の一覧を画面表示し、オペレータがそのうちの再収集すべき欠落期間を指定することにより、サーバ２００は、通信装置３００から広域回線を介して計測データを再収集するようにした。【選択図】図５
2010219770.tif 000002
【特許請求の範囲】
【請求項１】
複数個の計測器に接続され、各計測器から送信される計測データを蓄積する計測データ蓄積装置、
この計測データ蓄積装置から一定期間毎に送信される上記計測データを格納するサーバ、
このサーバに接続され、上記サーバに格納された計測データを表示する表示端末を備え、
上記サーバは、
上記計測データを格納するデータ格納部と、
上記データ格納部に格納された計測データの欠落の有無及び欠落がある場合に欠落期間を検索する格納データ欠落期間検索部を有し、
上記格納データ欠落期間検索部により上記欠落の有無及び上記欠落期間を検索させ、欠落が有る場合に上記表示端末に上記欠落期間を送信し、
上記表示端末は、上記サーバから送信された欠落期間を表示することを特徴とするデータ収集システム。
【請求項２】
上記表示端末は、上記計測データの再収集が必要な欠落期間を指定できるように構成され、
上記サーバは、上記表示端末によって指定された欠落期間について、上記計測データ蓄積装置から上記計測データの再収集を行い、上記データ格納部に格納することを特徴とする請求項１記載のデータ収集システム。
【請求項３】
上記表示端末は、上記計測データの再収集が必要な欠落期間の指定とともに上記再収集を行う時刻を指定できるように構成され、
上記サーバは、上記欠落期間の計測データの上記計測データ蓄積装置からの再収集を上記表示端末によって指定された時刻に行うことを特徴とする請求項２記載のデータ収集システム。
【請求項４】
複数個の計測器に接続され、各計測器から送信される計測データを蓄積する計測データ蓄積装置、
この計測データ蓄積装置から一定期間毎に送信される上記計測データを格納するサーバ、
このサーバに接続され、上記サーバに格納された計測データを表示する表示端末を備え、
上記サーバは、
上記計測データを格納するデータ格納部と、
上記データ格納部に格納された計測データの欠落の有無及び欠落がある場合に欠落期間を検索する格納データ欠落期間検索部とを有し、
上記表示端末から所定期間の上記計測データの送信要求を受けた場合に、上記格納データ欠落期間検索部により上記データ格納部に格納された上記所定期間の計測データの欠落の有無及び欠落期間を検索させ、欠落がある場合には、上記計測データ蓄積装置から上記欠落期間の計測データを再収集して上記データ格納部に格納したのち、上記所定期間の計測データを上記表示端末に送信することを特徴とするデータ収集システム。
【請求項５】
複数個の計測器に接続され、各計測器から送信される計測データを蓄積する計測データ蓄積装置、
この計測データ蓄積装置から一定期間毎に送信される上記計測データを格納するサーバを備え、
上記サーバは、
上記計測データを格納するデータ格納部と、
一定期間ごとに上記データ格納部に格納された計測データの欠落の有無及び欠落がある場合に欠落期間を検索する格納データ欠落期間検索部とを有し、
上記計測データに欠落がある場合には、上記欠落期間の計測データを上記計測データ蓄積装置から再収集することを特徴とするデータ収集システム。
【発明の詳細な説明】
【技術分野】
【０００１】
この発明は、マンホール室内およびマンホール周辺など各地に点在する計測機器から得られる計測データを、一時的に通信装置に蓄積し、広域回線を利用して遠隔地へ送信し、遠隔地にて計測データの蓄積・管理を行うデータ収集システムに関するものである
【背景技術】
【０００２】
上下水道分野において、水処理プラントなど大規模施設の運用状態管理には、データを収集する装置（シーケンサ等）や、演算処理・データ表示を行う装置（ＰＣやタッチパネル）が利用されている。これらの装置は、全て施設内に設置され、ケーブルを介してデータの送受信が行われる。
しかし、これまでのデータ収集装置（シーケンサ等）とデータ表示装置（タッチパネル等）では、データ格納、演算処理、及びデータ表示を行う機能がどちらか一方にしか存在しなかったため、データ収集装置及びデータ表示装置のどちらか一方が異常状態になった場合、またはそれらを接続しているケーブルが切断された場合に、データ表示装置にてデータを表示させることができなかった。
この問題を解決するために、例えば特許文献１では、データ収集装置とデータ表示装置のどちらにもデータ格納部を設け、データ表示装置に格納されているデータは何時でも閲覧可能にし、また、システム内の機器の何れかが異常状態となり、データの送受信がうまく行われず、表示装置においてデータの欠落が発生した場合でも、機器が正常状態に遷移した後は、欠落データを自動的に埋めるような処理を行っている。
【先行技術文献】
【特許文献】
【０００３】
【特許文献１】特開２００１−２２８７４号公報（第３〜４頁、図２）
【発明の概要】
【発明が解決しようとする課題】
【０００４】
しかしながら、特許文献１のように、データ収集装置とデータ表示装置をどちらも施設内に設置して、ケーブルを介してデータの送受信を行なう場合には、その施設内でしか計測データの格納、演算処理、表示が行えないという問題があった。
データ計測がマンホール室内やその周辺など、データ表示端末等の設置できない場所で行われている場合、計測データを、データ収集を行う施設内から、広域回線を利用して遠隔地へ送信し、遠隔地にて計測データの蓄積・管理を行うようにする必要が生じる。
しかし、この場合でも、例えば無線等の広域回線を利用したデータの送受信処理においても、電波状態の悪化により、データの送受信処理が正常に行われず、データが欠落してしまうことがある。広域回線を利用する場合に、電波状態を常時監視するには、一定期間毎に通信（要求を送信し、応答を受信すること）を行わなくてはならず、通信処理一回毎に通信費用が発生するという問題もある。
特許文献１の場合、及び広域回線を利用する場合でも、断線や電波状態の異常期間が長く、長期間のデータが欠落した場合、正常に遷移した途端に一度に再収集処理を行ってしまうと、再収集処理に掛かる通信時間が長くなり、この間は、通信経路が再収集処理によるデータの送受信に集中してしまい、その他の要求に対する応答が遅れるという問題があった。
【０００５】
これを防ぐために、オペレータがデータを参照する際に、参照したい期間のデータに欠落が無いかどうかを確認する場合も考えられるが、この場合には、オペレータが全データを画面に表示させ、欠落している期間を目視で確認しなければならない。
また、欠落している期間のデータを再収集するためには、オペレータが欠落期間一つ一つに対し、再収集要求を行わなくてはならない。つまり、欠落期間の検索と、データの再収集には、多大な時間と手間を要することになる。
【０００６】
この発明は、上述のような課題を解決するためになされたものであり、収集した計測データに欠落がある場合に一度に再収集処理を行うことなく、オペレータに負担をかけることなく、欠落期間の計測データを再収集するようにしたデータ収集システムを得ることを目的にしている。
【課題を解決するための手段】
【０００７】
この発明に係わるデータ収集システムにおいては、
複数個の計測器に接続され、各計測器から送信される計測データを蓄積する計測データ蓄積装置、
この計測データ蓄積装置から一定期間毎に送信される計測データを格納するサーバ、
このサーバに接続され、サーバに格納された計測データを表示する表示端末を備え、
サーバは、
計測データを格納するデータ格納部と、
データ格納部に格納された計測データの欠落の有無及び欠落がある場合に欠落期間を検索する格納データ欠落期間検索部を有し、
格納データ欠落期間検索部により欠落の有無及び欠落期間を検索させ、欠落が有る場合に表示端末に欠落期間を送信し、
表示端末は、サーバから送信された欠落期間を表示するものである。
【発明の効果】
【０００８】
この発明は、以上説明したように、複数個の計測器に接続され、各計測器から送信される計測データを蓄積する計測データ蓄積装置、
この計測データ蓄積装置から一定期間毎に送信される計測データを格納するサーバ、
このサーバに接続され、サーバに格納された計測データを表示する表示端末を備え、
サーバは、
計測データを格納するデータ格納部と、
データ格納部に格納された計測データの欠落の有無及び欠落がある場合に欠落期間を検索する格納データ欠落期間検索部を有し、
格納データ欠落期間検索部により欠落の有無及び欠落期間を検索させ、欠落が有る場合に表示端末に欠落期間を送信し、
表示端末は、サーバから送信された欠落期間を表示するので、サーバは、収集した計測データに欠落がある場合に、オペレータに負担をかけることなく、欠落期間を表示することができる。
【図面の簡単な説明】
【０００９】
【図１】この発明の実施の形態１によるデータ収集システムのハードウェア構成を示す構成図である。
【図２】この発明の実施の形態１によるデータ収集システムを示す構成図である。
【図３】この発明の実施の形態１によるデータ収集システムの動作を示すフロー図である。
【図４】この発明の実施の形態１によるデータ収集システムのデータ欠落期間の表示例を示す図である。
【図５】この発明の実施の形態２によるデータ収集システムを示す構成図である。
【図６】この発明の実施の形態２によるデータ収集システムの動作を示すフロー図である。
【図７】この発明の実施の形態２によるデータ収集システムのデータ欠落期間の表示例を示す図である。
【図８】この発明の実施の形態３によるデータ収集システムを示す構成図である。
【図９】この発明の実施の形態３によるデータ収集システムの動作の一部を示すフロー図である。
【図１０】この発明の実施の形態３によるデータ収集システムの図９につづく動作を示すフロー図である。
【図１１】この発明の実施の形態３によるデータ収集システムのデータ欠落期間の表示例を示す図である。
【図１２】この発明の実施の形態４によるデータ収集システムを示す構成図である。
【図１３】この発明の実施の形態４によるデータ収集システムの動作を示すフロー図である。
【図１４】この発明の実施の形態５によるデータ収集システムを示す構成図である。
【図１５】この発明の実施の形態５によるデータ収集システムの動作を示すフロー図である。
【発明を実施するための形態】
【００１０】
実施の形態１．
以下、この発明の実施の形態について図に基づいて説明する。
図１は、この発明の実施の形態１によるデータ収集システムのハードウェア構成を示す構成図である。
図１において、データ収集システムは、遠隔地に設置され、複数個の計測器からの計測データを順次受け取り、蓄積して、広域回線（無線）を利用して一定期間毎に纏めて蓄積データの送信を行う通信装置３００（計測データ蓄積装置）と、通信装置３００から広域回線（無線）を利用して送信された計測データを受け取り、蓄積するサーバ２００と、サーバ２００とＬＡＮ（またはインターネット）接続され、必要に応じてサーバ２００に格納されているデータを呼び出し、画面に表示させる表示端末１００とから構成される。
【００１１】
図２は、この発明の実施の形態１によるデータ収集システムを示す構成図であり、格納データ欠落期間を表示するための構成を示している。
図２において、サーバ２００には、計測データを格納するデータ格納部２４０と、データ格納部２４０の格納データを一括で管理する格納データ一括管理部２２０と、データ格納部２４０に格納された計測データの欠落期間を検索する格納データ欠落期間検索手段２３０（格納データ欠落期間検索部）が設けられている。
表示端末１００には、欠落期間の画面表示及び指令などの入力を行うための表示端末入出力部１１０が設けられ、表示端末１００とサーバ２００とは、表示端末側Ｉ／Ｆ処理部１２０ａとサーバ側Ｉ／Ｆ処理部２１０ａを介して、ＬＡＮ（またはインターネット）による情報の送受信を行う。
【００１２】
図２では、オペレータが表示端末１００より欠落期間の表示を要求するボタンを押下するだけで、格納データ一括管理部２２０が格納データ欠落期間検索手段２３０に対し、サーバ２００内のデータ格納部２４０に格納されている計測データに、欠落が無いかどうかを確認する指令を送信する。
指令を受けた格納データ欠落期間検索手段２３０は、データ格納部２４０に欠落が無いかどうかを確認し、欠落があった場合に、データの欠落している期間を全て調べ、格納データ一括管理部２２０に対し、結果を送信する。格納データ一括管理部２２０は、格納データ欠落期間検索手段２３０から受信した検索結果を表示端末１００の表示端末入出力部１１０に対し、送信する。表示端末入出力部１１０は、格納データ一括管理部２２０から受信した検索結果一覧を画面に表示する。
【００１３】
図３は、この発明の実施の形態１によるデータ収集システムの動作を示すフロー図である。
図４は、この発明の実施の形態１によるデータ収集システムのデータ欠落期間の表示例を示す図である。
図４において、表示端末１００に表示される画面例を示しており、欠落期間の存在するデータ項目と、欠落期間が表示されている。
【００１４】
次に動作について、図３のフロー図を用いて説明する。
オペレータが、表示端末１００にて格納データ欠落期間の表示を要求するボタンを押下すると、サーバ２００に対し、格納データ欠落期間表示要求の送信が行われ、格納データ欠落期間検索手段２３０により、欠落期間の検索を開始する。格納データ欠落期間検索手段２３０によって検索された格納データ欠落期間検索結果一覧は、表示端末入出力部１１０へ送信され、表示端末１００に表示される。
各ステップの詳細は、以下の通りである。
【００１５】
Ｓｔｅｐ１０．
オペレータが表示端末１００にて、格納データ欠落期間の表示を要求するボタンを押下すると、表示端末入出力部１１０は、表示端末側通信Ｉ／Ｆ処理部１２０ａを経由して、欠落期間表示リクエストの送信を行う。格納データ一括管理部２２０は、サーバ側通信Ｉ／Ｆ処理部２１０ａを経由して、表示端末入出力部１１０から送信される欠落期間表示リクエストの受信を行う。
Ｓｔｅｐ２０．
格納データ一括管理部２２０は、格納データ欠落期間検索手段２３０に対し、格納データ欠落期間検索リクエストの送信を行う。
Ｓｔｅｐ３０．
格納データ欠落期間検索手段２３０は、データ格納部２４０を検索し、格納データの欠落期間を検索する。
【００１６】
Ｓｔｅｐ４０．
格納データ欠落期間検索手段２３０は、格納データ一括管理部２２０に対し、検索結果の送信を行う。
Ｓｔｅｐ５０．
格納データ一括管理部２２０は、格納データ欠落期間検索手段２３０から受信した検索結果を一覧に纏め、サーバ側通信Ｉ／Ｆ処理部２１０ａを経由して、検索結果一覧の送信を行う。表示端末入出力部１１０は、表示端末側通信Ｉ／Ｆ処理部１２０ａを経由して、格納データ一括管理部２２０から送信される検索結果一覧の受信を行う。
Ｓｔｅｐ６０．
表示端末入出力部１１０は、受信した検索結果一覧を表示端末１００に表示する。
【００１７】
格納データ欠落期間検索手段２３０は、データ格納部２４０から、欠落期間の存在するデータ項目と、欠落期間を検索し、格納データ一括管理部２２０に送信を行う。格納データ一括管理部２２０は、受信した検索結果を計測時間毎及び計測時間順にソートして一覧に纏め、表示端末入出力部１１０に対し、検索結果一覧の送信を行う。表示端末１００は、受信した検索結果一覧を、画面表示する。表示される画面例を図４に示す。
【００１８】
実施の形態１によれば、サーバは、通信装置との間の通信状態を常時監視しておく必要はなく、オペレータからの格納データ欠落期間表示要求を受信した際にデータに欠落が無いかどうかを確認し、欠落があり、さらにオペレータからのデータ収集要求があった場合にのみ、通信装置と通信を行い、欠落している期間のデータ受信を行えばいいので、サーバと通信装置との間の通信時に発生する通信費用の削減が可能になる。
また、オペレータは、表示端末から格納データ欠落期間表示要求ボタンを押下するだけで、格納データ欠落期間一覧を閲覧することができるため、格納データ欠落期間の検索作業に費やす時間と手間の削減が可能になる。
【００１９】
実施の形態２．
この発明の実施の形態２を図に基づいて説明する。
図５は、この発明の実施の形態２によるデータ収集システムを示す構成図である。
図５において、１００、１１０、１２０ａ、２００、２１０ａ、２２０、２３０、２４０は図２におけるものと同一のものである。図５では、図２の構成に、通信装置３００からデータ収集する機能と、データ格納部２４０へのデータ格納するための機能が付加されている。
サーバ２００には、通信装置３００からデータ収集するためのデータ収集手段２３１と、通信装置３００から収集したデータをデータ格納部２４０に格納する収集データ格納手段２３２が設けられている。通信装置３００には、計測データを格納したデータ格納部３３０と、データ格納部３３０から必要なデータを抽出するデータ抽出手段３２０が設けられている。また、サーバ側送受信処理部２５０ｂと通信装置側送受信処理部３１０ｂとを介してサーバ２００と通信装置３００間の通信が行われる。
【００２０】
図５では、図２と同じく、表示端末１００で画面表示された格納データ欠落期間のうち、オペレータが再収集したい期間を任意に選択し、一括収集を要求するボタンを押下するだけで、格納データ一括管理部２２０がデータ収集手段２３１に対し、通信装置３００から必要なデータを収集するように指令を送信する。指令を受けたデータ収集手段２３１は、指定された期間のデータを送信するように、データ抽出手段３２０に対し、指令を送信する。データ抽出手段３２０は、要求された期間のデータをデータ格納部３３０から抽出し、データ収集手段２３１へ送信する。
データを受信したデータ収集手段２３１は、格納データ一括管理部２２０へ、受信したデータを送信する。格納データ一括管理部２２０は、データ収集手段２３１から受信したデータを収集データ格納手段２３２によってデータ格納部２４０へ格納させた後、表示端末１００に格納完了通知を送信することにより、オペレータに対し、オペレータが再収集を要求した期間のデータを格納したことを通知する。
【００２１】
図６は、この発明の実施の形態２によるデータ収集システムの動作を示すフロー図である。
【００２２】
図７は、この発明の実施の形態２によるデータ収集システムのデータ欠落期間の表示例を示す図である。
図７において、表示端末１００に表示される画面例を示しており、欠落期間の存在するデータ項目と、欠落期間が表示され、さらに、再収集期間を選択する再収集期間選択ボタンと、再収集を要求するための再収集要求ボタンが設けられている。
【００２３】
次に動作について、図６のフロー図を用いて説明する。
開始からＳｔｅｐ６０までは、図３のフロー図と同じ処理であり、ここでは、Ｓｔｅｐ７０〜Ｓｔｅｐ１６０の詳細について説明する。
Ｓｔｅｐ７０．
表示画面１００に表示された格納データ欠落期間の内、オペレータが再収集したい期間を表示画面１００上で選択し、再収集を要求するボタンを押下すると、表示端末入出力部１１０は、表示端末側通信Ｉ／Ｆ処理部１２０ａを経由して、データ再収集リクエストの送信を行う。格納データ一括管理部２２０は、サーバ側通信Ｉ／Ｆ処理部２１０ａを経由して、表示端末１００から送信されるデータ再収集リクエストの受信を行う。
このとき、オペレータが、再収集要求を行う際に表示される画面例は図７に示すとおりである。
Ｓｔｅｐ８０．
格納データ一括管理部２２０は、データ収集手段２３１に対し、欠落期間のデータ再収集リクエストの送信を行う。
【００２４】
Ｓｔｅｐ９０．
データ収集手段２３１は、サーバ側送受信処理部２５０ｂを経由し、広域回線を利用して、指定された期間のデータ抽出リクエストの送信を行う。データ抽出手段３２０は、通信装置側送受信処理部３１０ｂを経由して、データ収集手段２３１から送信されるデータ抽出リクエストの受信を行う。
Ｓｔｅｐ１００．
データ抽出手段３２０は、データ格納部３３０から、指定された期間のデータを抽出する。
Ｓｔｅｐ１１０．
データ抽出手段３２０は、通信装置側送受信処理部３１０ｂを経由し、広域回線を利用して、抽出したデータの送信を行う。データ収集手段２３１は、サーバ側送受信処理部２５０ｂを経由して、データ抽出手段３２０から送信された抽出データの受信を行う。
Ｓｔｅｐ１２０．
データ収集手段２３１は、格納データ一括管理部２２０に対し、収集データの送信を行う。
【００２５】
Ｓｔｅｐ１３０．
格納データ一括管理部２２０は、収集データ格納手段２３２に対し、データ収集手段２３１から受信した収集データと共に、データ格納リクエストの送信を行う。
Ｓｔｅｐ１４０．
収集データ格納手段２３２は、データ格納部２４０に、格納データ一括管理部２２０から受信したデータを格納する。
Ｓｔｅｐ１５０．
収集データ格納手段２３２は、格納データ一括管理部２２０に対し、データの格納完了通知の送信を行う。
Ｓｔｅｐ１６０．
格納データ一括管理部２２０は、表示端末入出力部１１０に対し、サーバ側通信Ｉ／Ｆ処理部２１０ａを経由して、指定された期間のデータ再収集完了通知の送信を行う。表示端末入出力部１１０は、表示端末側通信Ｉ／Ｆ処理部１２０ａを経由して、格納データ一括管理部２２０から送信された再収集完了通知の受信を行うとともに、表示端末１００に表示されている格納データ欠落期間の表示更新を行う。
【００２６】
実施の形態２によれば、サーバは、サーバと通信装置との間における通信状態の常時監視を行い、通信状態が異常から正常へ遷移した際に欠落データ全ての自動収集処理を行うのではなく、オペレータによる格納データ欠落期間の表示要求を受信した際に、格納データ欠落期間一覧を表示端末へ画面表示し、オペレータが必要とする期間のみを選択して再収集要求を行うことにより、欠落期間全てを一括で再収集した場合に発生し得る通信経路の集中による応答の遅れを防ぐことが可能になる。
また、オペレータは、表示端末１００に表示されている格納データ欠落期間一覧のうち、参照したい期間のみを選択し、選択した期間のデータ再収集を要求するボタンを押下するだけで、必要な期間のデータを何時でも参照することが可能になり、格納データ欠落期間の検索作業及び、欠落期間のデータ再収集作業に費やす時間と手間の削減が可能になる。
【００２７】
実施の形態３．
この発明の実施の形態３を図に基づいて説明する。
図８は、この発明の実施の形態３によるデータ収集システムを示す構成図であり、時刻を指定して欠落期間のデータを収集する場合の構成を示している。
図８において、１００、１１０、１２０ａ、２００、２１０ａ、２２０、２３０、２３１、２３２、２４０、２５０ｂ、３００、３１０ｂ、３２０、３３０は図５におけるものと同一のものである。図８では、図５の構成に加えて、格納データ欠落期間のうち再収集を行う期間を任意に選択できる機能と、各々の期間に対し再収集を行う時刻を指定する機能を設けている。
【００２８】
サーバ２００には、オペレータによって指定された再収集の時刻を管理する収集時刻管理部２２１が付加されている。表示端末１００で画面表示された格納データ欠落期間一覧のうち、オペレータは、再収集したい期間を任意に選択し、選択した各々の期間に対して再収集を実施する時刻を設定して、再収集を要求するボタンを押下する。
表示端末入出力部１１０は、オペレータが設定した時刻と再収集する期間を、格納データ一括管理部２２０に送信し、格納データ一括管理部２２０は、時刻データのみを収集時刻管理部２２１に送信する。オペレータが設定した時刻になると、収集時刻管理部２２１は、格納データ一括管理部２２０に収集指令を送信する。
【００２９】
収集時刻管理部２２１から収集指令を受けた格納データ一括管理部２２０は、データ収集手段２３１に対し、通信装置３００からオペレータが設定した期間のデータを収集するように指令を送信する。指令を受けたデータ収集手段２３１は、指定された期間のデータを送信するように、データ抽出手段３２０に対し、指令を送信する。
データ抽出手段３２０は、要求された期間のデータを抽出し、データ収集手段２３１に送信し、データを受信したデータ収集手段２３１は、格納データ一括管理部２２０に、受信したデータを送信する。
格納データ一括管理部２２０は、データ収集手段２３１から受信したデータを収集データ格納手段２３２によってデータ格納部２４０へ格納させた後、表示端末に格納完了通知を送信する。これによって、オペレータには、オペレータが再収集を要求した期間のデータを格納されたことが通知される。
【００３０】
図９は、この発明の実施の形態３によるデータ収集システムの動作の一部を示すフロー図である。
図１０は、この発明の実施の形態３によるデータ収集システムの図９につづく動作を示すフロー図である。
【００３１】
図１１は、この発明の実施の形態３によるデータ収集システムのデータ欠落期間の表示例を示す図である。
図１１において、表示端末１００に表示される画面例を示しており、欠落期間の存在するデータ項目と、欠落期間が表示されるとともに、再収集期間を及び再収集を実施する時刻を指定できるように画面構成され、さらに再収集を要求するための再収集要求ボタンが設けられている。
【００３２】
次に動作について、図９、図１０のフロー図を用いて説明する。
開始からＳｔｅｐ６０までと、Ｓｔｅｐ７０及びＳｔｅｐ９０〜Ｓｔｅｐ１６０は、図６のフロー図と同じ処理であるので、その説明を省略し、ここでは、Ｓｔｅｐ６０とＳｔｅｐ７０の間にオペレータが行う操作と、Ｓｔｅｐ７５、Ｓｔｅｐ８６、Ｓｔｅｐ８７について説明する。
【００３３】
Ｓｔｅｐ６０とＳｔｅｐ７０の間にオペレータが行う操作としては、表示端末１００に表示された格納データ欠落期間のうち、オペレータが再収集したい期間を任意に選択し、各々の期間に対して再収集を行う時刻を設定して、再収集を要求するボタンを押下する。
このときオペレータが、再収集を行う期間と再収集を実行する時刻を指定して、再収集を要求する際に表示される画面例は、図１１に示すとおりである。
【００３４】
Ｓｔｅｐ７５．
格納データ一括管理部２２０は、収集時刻管理部２２１に、オペレータが設定した再収集を行う時刻に関するデータの送信を行う。
Ｓｔｅｐ８６．
収集時刻管理部２２１は、オペレータが設定した再収集時刻になると、格納データ一括管理部２２０に、再収集を行うよう指令の送信を行う。
Ｓｔｅｐ８７．
格納データ一括管理部２２０は、収集時刻管理部２２１から指令の受信を行うと、データ収集手段２３１に、オペレータが選択した欠落期間のデータ再収集リクエストの送信を行う。
【００３５】
実施の形態３によれば、サーバは、サーバと通信装置との間における通信状態の常時監視を行い、通信状態が異常から正常へ遷移した際に欠落データ全ての自動収集処理を行うのではなく、オペレータによる格納データ欠落期間の表示要求を受信した際に、格納データ欠落期間一覧を表示端末へ画面表示し、オペレータが再収集を行いたい期間と、再収集を実施したい時刻を任意に設定して、再収集要求を行うようにすることにより、欠落期間全てを一括で再収集した場合に発生し得る通信経路の集中による応答の遅れを防ぐことが可能になる。
また、再収集を実施する時刻指定を行うことで、オペレータは、データの再収集を実施したい時刻毎に再収集要求を行う必要がなく、一度の操作で収集したい全データの収集処理を行うことができる。
これにより、オペレータによる格納データ欠落期間の検索作業及び欠落期間のデータ再収集作業に費やす時間と手間の削減が可能になる。
【００３６】
実施の形態４．
この発明の実施の形態４を図に基づいて説明する。
図１２は、この発明の実施の形態４によるデータ収集システムを示す構成図である。
図１２において、１００、１１０、１２０ａ、２００、２１０ａ、２２０、２３０、２３１、２３２、２４０、２５０ｂ、３００、３１０ｂ、３２０、３３０は図５におけるものと同一のものである。図１２では、サーバ２００に、要求された期間のデータをデータ格納部２４０から抽出する送信データ収集手段２３３を設けている。
【００３７】
オペレータは、指定した期間のデータ表示要求ボタンを、表示画面１００より押下する。表示端末入出力部１１０は、サーバ２００に対し、オペレータが指定した期間のデータ送信要求を行う。要求を受信したサーバ２００内の格納データ一括管理部２２０は、格納データ欠落期間検索手段２３０に対し、オペレータによって指定された期間のデータが、サーバ２００内のデータ格納部２４０に格納されているかどうか確認するよう指令を送信する。指令を受けた格納データ欠落期間検索手段２３０は、データ格納部２４０に欠落が無いかどうかを確認し、欠落がなかった場合には欠落無しを、欠落があった場合にはデータの欠落している期間を全て調べ、格納データ一括管理部２２０に結果を送信する。
結果を受信した格納データ一括管理部２２０は、欠落があった場合、データ収集手段２３１に対し、通信装置３００から必要なデータを収集するように指令を送信する。指令を受けたデータ収集手段２３１は、指定された期間のデータを送信するように、データ抽出手段３２０に、指令を送信する。データ抽出手段３２０は、要求された期間のデータを抽出し、データ収集手段２３１に送信し、データを受信したデータ収集手段２３１は、格納データ一括管理部２２０に受信したデータを送信する。
格納データ一括管理部２２０は、データ収集手段２３１から受信したデータを収集データ格納手段２３２によってデータ格納部２４０へ格納させる。以上の操作により、オペレータが指定した期間のデータは全て、データ格納部２４０に格納されることになる。
【００３８】
オペレータが指定した期間のデータがデータ格納部２４０に格納された後、格納データ一括管理部２２０は、送信データ収集手段２３３に対し、オペレータが指定した期間のデータを収集するように指令を送信する。指令を受けた送信データ収集手段２３３は、要求された期間のデータをデータ格納部２４０から抽出し、格納データ一括管理部２２０に抽出したデータを送信する。格納データ一括管理部２２０は、送信データ収集手段２３３から受信したデータ全てを、表示端末入出力部１１０に送信する。
表示端末入出力部１１０は、格納データ一括管理部２２０からデータを受信し、表示端末１００に表示することで、オペレータが指定した期間のデータ全てをオペレータに提供する。
【００３９】
図１３は、この発明の実施の形態４によるデータ収集システムの動作を示すフロー図である。
【００４０】
次に動作について、図１３のフロー図を用いて説明する。
Ｓｔｅｐ９０〜Ｓｔｅｐ１５０は、図６のフロー図と同じ処理であるので、その説明を省略し、ここでは、Ｓｔｅｐ１５〜Ｓｔｅｐ８５及びＳｔｅｐ１５５〜Ｓｔｅｐ１７５の詳細について説明する。
Ｓｔｅｐ１５．
オペレータが表示端末１００にて、ある指定した期間のデータの表示を要求するボタンを押下すると、表示端末入出力部１１０は、表示端末側通信Ｉ／Ｆ処理部１２０ａを経由して、データ表示リクエストの送信を行う。格納データ一括管理部２２０は、サーバ側通信Ｉ／Ｆ処理部２１０ａを経由して、表示端末入出力部１１０から送信されるデータ表示リクエストの受信を行う。
Ｓｔｅｐ２５．
格納データ一括管理部２２０は、受信したデータ表示リクエストから、データ収集する期間（以下「指定された期間」と称す）を読み取る。格納データ一括管理部２２０は、格納データ欠落期間検索手段２３０に対し、指定された期間において、格納データに欠落期間が無いかどうかを問い合わせる欠落期間検索リクエストの送信を行う。
Ｓｔｅｐ３５．
格納データ欠落期間検索手段２３０は、データ格納部２４０を検索し、指定された期間の格納データ欠落期間の有無を調べる。
Ｓｔｅｐ３６．
指定された期間において、データ格納部２４０に欠落期間がなかった場合、格納データ一括管理部２２０は、通信装置３００からデータを再収集する必要が無いので、Ｓｔｅｐ１５５に進む。データ格納部２４０に欠落期間があった場合、Ｓｔｅｐ８５に進む。
【００４１】
Ｓｔｅｐ８５．
格納データ一括管理部２２０は、データ収集手段２３１に対し、格納データ欠落期間検索手段２３０から受信した格納データ欠落期間のデータを再収集するようデータ再収集リクエストの送信を行う。
Ｓｔｅｐ１５５．
格納データ一括管理部２２０は、送信データ収集手段２３３に対し、指定された期間のデータ収集リクエストを送信する。
Ｓｔｅｐ１５６．
送信データ収集手段２３３は、指定された期間のデータを、データ格納部２４０から収集する。
Ｓｔｅｐ１５７．
送信データ収集手段２３３は、格納データ一括管理部２２０に対し、収集したデータの送信を行う。
Ｓｔｅｐ１６５．
格納データ一括管理部２２０は、表示端末入出力部１１０に対し、サーバ側通信Ｉ／Ｆ処理部２１０ａを経由して、指定された期間のデータ送信を行う。表示端末入出力部１１０は、表示端末側通信Ｉ／Ｆ処理部１２０ａを経由して、格納データ一括管理部２２０から送信されるデータの受信を行う。
Ｓｔｅｐ１７５．
表示端末入出力部１１０は、受信したデータを表示端末１００に表示する。
【００４２】
実施の形態４によれば、サーバは、オペレータが表示端末から表示要求を行った期間のデータに対し、サーバ内のデータ格納部において、欠落が無いかどうかを自動的に調べ、欠落があった場合に、通信装置からデータ収集を行い、データ格納部に全て格納した後に、表示端末に対し、オペレータに要求された期間のデータを全て送信する。これにより、サーバからデータを受信した表示端末は、データを画面に表示することで、オペレータに対し、要求されたデータを提供することができる。
実施の形態２では、オペレータが指定した期間のデータを、表示端末に表示して、オペレータに提供するまでの間に、欠落期間の表示を要求するボタンの押下及び、再収集を要求するボタンの押下、データ格納部に格納されているデータの表示を要求するボタンの押下の３操作をオペレータが行う必要があった。これに対し、実施の形態４では、オペレータがデータを閲覧したい時、表示端末からデータの表示を要求するボタンの押下のみで、オペレータに対し、要求されたデータを一つも欠けることなく提供することが可能になる。
【００４３】
実施の形態５．
この発明の実施の形態５を図に基づいて説明する。
図１４は、この発明の実施の形態５によるデータ収集システムを示す構成図である。
図１４において、２００、２２０、２３０、２３１、２３２、２４０、２５０ｂ、３００、３１０ｂ、３２０、３３０は図１２におけるものと同一のものである。
図１２では、オペレータが表示要求を行った期間の欠落データに対する自動収集するようにしたが、図１４では、オペレータからの要求を一切必要とせずに、格納データの欠落があれば自動収集するようにしている。
このため、サーバ２００内の格納データ一括管理部２２０に、データ格納部２４０に格納しているデータに欠落が無いかどうかを自動的に確認し、欠落があった場合には、通信装置３００からデータ収集を行う機能を付加している。
【００４４】
格納データ一括管理部２２０は、一定期間毎に格納データ欠落期間検索手段２３０に対し、データ格納部２４０に格納されているデータに欠落が無いかどうかを確認するよう指令を送信する。
指令を受けた格納データ欠落期間検索手段２３０は、データ格納部２４０に欠落が無いかどうかを確認し、欠落がなかった場合には欠落無しを、欠落があった場合にはデータの欠落している期間を全て調べ、格納データ一括管理部２２０に結果を送信する。
結果を受信した格納データ一括管理部２２０は、欠落があった場合には、データ収集手段２３１に対し、通信装置３００から必要なデータを収集するように指令を送信する。指令を受けたデータ収集手段２３１は、指定された期間のデータを送信するように、データ抽出手段３２０に、指令を送信する。
データ抽出手段３２０は、要求された期間のデータを抽出し、データ収集手段２３１に送信し、データを受信したデータ収集手段２３１は、格納データ一括管理部２２０に、受信したデータを送信する。格納データ一括管理部２２０は、データ収集手段２３１から受信したデータを、収集データ格納手段２３２によってデータ格納部２４０へ格納させる。
【００４５】
図１５は、この発明の実施の形態５によるデータ収集システムの動作を示すフロー図である。
【００４６】
次に動作について、図１５のフロー図を用いて説明する。
Ｓｔｅｐ３０〜Ｓｔｅｐ４０と、Ｓｔｅｐ８０〜Ｓｔｅｐ１５０は、図６のフロー図と同じ処理であるので、その説明を省略し、ここでは、Ｓｔｅｐ２７の詳細について説明する。
Ｓｔｅｐ２７．
格納データ一括管理部２２０は、格納データ欠落期間検索手段２３０に対し、一定期間毎に格納データ欠落期間検索リクエストの送信を行う。
【００４７】
実施の形態５によれば、サーバは、データ格納部に格納されているデータおいて、欠落が無いかどうかを自動的に調べ、欠落があった場合に、通信装置からデータ収集を行い、データ格納部に格納させるようにした。
これにより、オペレータは、データを閲覧したい時、データ格納部に格納されているデータの欠落期間を検索する作業、及び欠落期間のデータを通信装置から再収集する作業に時間と手間を費やすことなく、データを閲覧することが可能になる。
【符号の説明】
【００４８】
１００  表示端末
１１０  データ表示端末入出力部
１２０ａ  表示端末側Ｉ／Ｆ処理部
２００  サーバ
２１０ａ  サーバ側Ｉ／Ｆ処理部
２２０  格納データ一括管理部
２２１  収集時刻管理部
２３０  格納データ欠落期間検索手段
２３１  データ収集手段
２３２  収集データ格納手段
２３３  送信データ収集手段
２４０  データ格納部
２５０ｂ  サーバ側送受信処理部
３００  通信装置
３１０ｂ  通信装置側送受信処理部
３２０  データ抽出手段
３３０  データ格納部
【図１】
2010219770.tif 000003
【図２】
2010219770.tif 000004
【図３】
2010219770.tif 000005
【図４】
2010219770.tif 000006
【図５】
2010219770.tif 000007
【図６】
2010219770.tif 000008
【図７】
2010219770.tif 000009
【図８】
2010219770.tif 000010
【図９】
2010219770.tif 000011
【図１０】
2010219770.tif 000012
【図１１】
2010219770.tif 000013
【図１２】
2010219770.tif 000014
【図１３】
2010219770.tif 000015
【図１４】
2010219770.tif 000016
【図１５】
2010219770.tif 000017